(57)【特許請求の範囲】
【請求項１】
カラーパレットの色情報を用いて文書画像の作成・編集を行う文書作成・編集手段と、
前記文書画像を画像出力手段により出力する条件を設定する設定手段と、
前記カラーパレットの色情報である入力信号値に対応した、トナーセーブ処理後の出力信号値を保持する第１の保持手段と、
前記入力信号値に対応した、トナーセーブ処理を実施しない標準の出力信号値を保持する第２の保持手段と、
前記第１の保持手段を参照して、前記カラーパレットの色情報である入力信号値を、トナーセーブ処理後の出力信号値に変換する変換手段と、
前記第２の保持手段を参照して、前記変換されたトナーセーブ処理後の出力信号値を、カラーパレットの入力信号値に逆変換する逆変換手段と、
前記出力する条件がトナーセーブモードである場合、前記カラーパレットの色情報である入力信号値を、前記逆変換された入力信号値に書き換えてカラーパレットを表示する表示手段と
を備えたことを特徴とする文書作成支援装置。
【請求項２】
前記画像出力手段がトナーセーブモードを有するか否かを判定する判定手段と、前記判定の結果、トナーセーブモードがない場合に警告を表示する警告表示手段を備えたことを特徴とする請求項１記載の文書作成支援装置。
【請求項３】
カラーパレットの色情報を用いて文書画像の作成・編集を行う文書作成・編集手段と、
前記文書画像を画像出力手段により出力する条件を設定する設定手段と、
前記カラーパレットの色情報である入力信号値に対応した、トナーセーブ処理後の出力信号値を保持する第１の保持手段と、
前記入力信号値に対応した、トナーセーブ処理を実施しない標準の出力信号値を保持する第２の保持手段とを備えた情報処理装置における文書作成支援方法において、
前記第１の保持手段を参照して、前記カラーパレットの色情報である入力信号値を、トナーセーブ処理後の出力信号値に変換する変換工程と、
前記第２の保持手段を参照して、前記変換されたトナーセーブ処理後の出力信号値を、カラーパレットの入力信号値に逆変換する逆変換工程と、
前記出力する条件がトナーセーブモードである場合、前記カラーパレットの色情報である入力信号値を、前記逆変換された入力信号値に書き換えてカラーパレットを表示する表示工程と
を備えたことを特徴とする文書作成支援方法。
【請求項４】
請求項３記載の文書作成支援方法をコンピュータに実現させるためのプログラム。
【請求項５】
請求項３記載の文書作成支援方法をコンピュータに実現させるためのプログラムを記録したコンピュータ読み取り可能な記録媒体。
【発明の詳細な説明】
【技術分野】
【０００１】
本発明は、トナーセーブで印刷した際のイメージを把握しながら文書を作成することができる文書作成支援装置、文書作成支援方法、プログラムおよび記録媒体に関する。
【背景技術】
【０００２】
カラー印刷は、モノクロ印刷に比べてカラーインクやカラートナーなど画像形成材の使用量が多くなるので、カラー印刷でありながら画像形成材の使用量を抑えたトナーセーブモードが開発された。
【０００３】
しかし、単純に画像形成材を減らしたトナーセーブモードでは、濃度を下げることで色が薄くなってしまい画質の劣化は避けられない。これを解決する方法として、例えば、画像形成材の濃度階調を変更する方法や、視覚特性を考慮して色域を圧縮する方法などがある（例えば、特許文献１を参照）。
【０００４】
さらに上記したトナーセーブの従来技術を用いて画像出力を行った場合に、トナーの削減は意図したとおりに実現できるが、印刷結果がユーザーの意図したものと異なってしまうことがあった。
これを解決する方法として、例えば、トナーセーブモードと標準モードの切り替えが可能で、モードに応じたパラメータで画像データを濃度に変換し、その濃度に応じてプレビュー表示する方法などがある（例えば、特許文献２を参照）。
【発明の概要】
【発明が解決しようとする課題】
【０００５】
しかし、上記した従来の技術では、トナー消費量を削減し、かつユーザーの意図したとおりの画像を容易に作成することが困難であった。
【０００６】
例えば、ディスプレイ上でカラー文字を使用して文書を作成する場合に、（Ｃ、Ｍ、Ｙ）＝（０、１００、１００）で表される「赤」、（Ｃ、Ｍ、Ｙ）＝（０、１００、０）で表される「マゼンタ」を、ＣＭＹの総量で判断するトナーセーブで印刷した場合、（Ｃ、Ｍ、Ｙ）＝（０、１００、１００）が、（Ｃ、Ｍ、Ｙ）＝（０、４０、４０）に変換され、（Ｃ、Ｍ、Ｙ）＝（０、１００、０）が（０、８０、０）に変換される。
【０００７】
文書作成時に強調を目的に使用される「赤」が、トナーセーブで印刷した場合には、文書作成時の「赤」が、実際にはくすんだ「赤」に変換されてしまう。しかし、「マゼンタ」は、トナーセーブで印刷された場合でも、「赤」に比べて彩度も高く、強調に適している。このように、従来の技術では、トナーセーブで印刷されたときの色を把握することなく文書を作成しているため、トナーセーブで印刷された文書に対して、文書作成者が違和感を持ってしまう。
【０００８】
また、特許文献１の技術では、上記したように、画像を出力するまで最終的な印刷結果が確認できず、印刷したところ薄くなりすぎてしまい、ユーザーが意図していたものと異なる画像になってしまう可能性がある。
【０００９】
さらに、特許文献２の技術では、出力前に画像を確認できるため無駄な印刷がなくなるが、プレビュー結果がユーザーの意図しないものであった場合に、そこから画像データを修正しなければならないという問題があった。
【００１０】
本発明は上記した課題に鑑みてなされたもので、
本発明の目的は、文書作成時に、トナーセーブ処理後の色をカラーパレットに反映させることで、印刷時のイメージを把握できる文書作成支援装置、文書作成支援方法、プログラムおよび記録媒体を提供することにある。
【課題を解決するための手段】
【００１１】
本発明は、カラーパレットの色情報を用いて文書画像の作成・編集を行う文書作成・編集手段と、
前記文書画像を画像出力手段により出力する条件を設定する設定手段と、
前記カラーパレットの色情報である入力信号値に対応した、トナーセーブ処理後の出力信号値を保持する第１の保持手段と、
前記入力信号値に対応した、トナーセーブ処理を実施しない標準の出力信号値を保持する第２の保持手段と、
前記第１の保持手段を参照して、前記カラーパレットの色情報である入力信号値を、トナーセーブ処理後の出力信号値に変換する変換手段と、
前記第２の保持手段を参照して、前記変換されたトナーセーブ処理後の出力信号値を、カラーパレットの入力信号値に逆変換する逆変換手段と、
前記出力条件がトナーセーブモードである場合、前記カラーパレットの色情報である入力信号値を、前記逆変換された入力信号値に書き換えてカラーパレットを表示する表示手段を備えたことを最も主要な特徴とする。
【発明の効果】
【００１２】
本発明によれば、トナーセーブ用のカラーパレットを提供することで、トナーセーブで印刷した際のイメージを把握しながら文書を作成することができ、また、トナーセーブで印刷された文書への文書作成者の違和感がなくなる。
【図面の簡単な説明】
【００１３】
【図１】本発明の文書作成支援装置のハードウェア構成を示す。
【図２】文書作成支援装置の詳細な構成を示す。
【図３】実施例１のカラーパレット制御部／変換部の詳細な構成を示す。
【図４】実施例１のカラーパレット制御の処理フローチャートを示す。
【図５】印刷条件設定画面の例を示す。
【図６】カラーパレット情報例と色変換パラメータの記述例を示す。
【図７】カラーパレット変換処理の具体例を示す。
【図８】実施例２のカラーパレット制御部／変換部の詳細な構成を示す。
【図９】実施例２の印刷機判定部の詳細な構成を示す。
【図１０】実施例２のカラーパレット制御の処理フローチャートを示す。
【発明を実施するための形態】
【００１４】
以下、発明の実施の形態について図面により詳細に説明する。本発明は、トナーセーブ用の文書作成に際して、カラーパレット上の色を入力信号として、トナーセーブ用の出力信号値に変換し、変換された出力信号値を、入力形式の信号に逆変換して、カラーパレット上の色を、逆変換した色に変更して表示する。
【実施例１】
【００１５】
図１は、本発明の文書作成支援装置のハードウェア構成を示す。ＰＣ１０は、印刷する文書を操作するためのコンピュータである。本発明はＰＣに限定されず、文書データを操作できるワープロや携帯電話などでも良い。画像形成装置１１は、ＰＣ１０から送られてきた文書を印刷するための出力装置（印刷機）である。ここでは画像形成装置は１台であるが、ネットワーク経由で複数の画像形成装置と接続可能である。
【００１６】
ＬＡＮ１３は、ＰＣ１０と画像形成装置１１や外部記憶装置１２とを接続するためのネットワークであり、これを経由して文書データのやり取りを行う。ＣＰＵ１０ａは、画像処理を行うコンピュータの各部分を制御し、また文書操作の機能を実行する。ＲＯＭ１０ｂ、ＲＡＭ１０ｃ、ＨＤＤ１０ｄ、外部記憶装置１２は文書データや処理のためのパラメータなど本システムに必要なデータを保持し、また処理を行うプログラムもインストールされる。ネットワークインターフェース１０ｅは、ＬＡＮ１３を介して外部装置と情報のやり取りを行う。具体的には文書データの入出力やプログラムの読み込み、配布などを行う。
【００１７】
記憶メディア読取装置１０ｈは、ＣＤ−ＲＯＭやフラッシュメモリ、光磁気ディスクなど外部記憶装置１２から文書データやプログラムなどの読み込みを行う。
【００１８】
図２は、文書作成支援装置の詳細な構成を示す。図２において、ＰＣ１０は、文書作成・編集部１０１、プリンタドライバ１０２、印刷条件設定部１０３、カラーパレット制御部１０４からなり、画像形成装置１１は、色信号変換部１１１、トナーセーブ設定部１１２、画像形成部１１３、色変換パラメータ設定部１１４からなる。
【００１９】
図２を用いて、ＣＰＵ１０ａで実行される文書作成支援装置の動作を説明する。文書作成・編集部１０１は、ＲＯＭ１０ｂやＲＡＭ１０ｃ、ＨＤＤ１０ｄ、外部記憶装置１２内に文書データ２０を作成し、もしくは既に作成されている文書データ２０を読み出し、編集を行う。これら文書データ２０はグラフィックス、文字、イメージなど複数のオブジェクトを含む。
【００２０】
文書の作成・編集において、ユーザーは各オブジェクトに色付づけを行いたい場合に、カラーパレットを利用することができる。カラーパレットはカラーパレット制御部１０４により提供される。
【００２１】
印刷条件設定部１０３では、作成・編集中の文書の印刷条件を設定できる。図５は、印刷条件設定画面の例を示す。図５に示すように、印刷条件として、使用するプリンタ名、カラーモード、原稿方向、トナーセーブ実施の有無などが設定できる。設定できる項目はこの例に限定されず、用いる文書作成・編集ソフトや印刷機によって変更することができる。
【００２２】
文書データ２０を印刷する際には、プリンタドライバ１０２を経由して画像形成装置１１に送られる。プリンタドライバ１０２では印刷条件設定部１０２で設定されている印刷条件を読み出し、また必要に応じてその条件を変更することができる。
【００２３】
画像形成装置１１に送られてきた文書データ２０は色信号変換部１１１で出力可能な信号へと変換される。変換は色変換パラメータ設定部１１４で設定されたパラメータを用いて行われる。この時、トナーセーブを実施する設定になっている場合、色変換パラメータは、トナーセーブ設定部１１２によりトナーセーブ用のパラメータに変更される。
【００２４】
図６（ｂ）は、色変換パラメータ５００の一例を示す。本実施例では、トナーセーブ処理を実施しない標準用の色変換パラメータ（テーブル）と、トナーセーブ用の色変換パラメータ（テーブル）が設けられている。
【００２５】
この色変換パラメータは入力信号が決まれば、それに対応して一意に出力信号が決まるようになっている。ただし、全ての入力に対する出力データを保持した場合に極端にデータ量が大きくなってしまう場合には、一定基準でデータを抜き出して保持し、それ以外の点は記録されているデータの補間から算出することも可能である。ここでは、入力がＲＧＢ、出力がＣＭＹの信号形式であるが、これに限定されず、入力がＲＧＢで出力がＬａｂ、入力がＬａｂで出力がＸＹＺなどより適した形式があればそれを利用しても構わない。また、ここでは省略しているが、出力信号に変換する過程で、一般的に墨生成処理や総量規制、ガンマ変換などの処理が行われる。色変換パラメータはこれらそれぞれの処理に対して存在し、トナーセーブの方法によってトナーセーブ設定部１１２によって設定されるトナーセーブ用の色変換パラメータの種類は異なってくる。こうして出力可能な形式に変換された文書データは画像形成部１１３に送られ、印刷される。
【００２６】
図３（ａ）は、カラーパレット制御部の詳細な構成を示し、図３（ｂ）は、カラーパレット変換部の詳細な構成を示す。図３（ａ）において、カラーパレット制御部１０４は、印刷条件取得部２０１、印刷モード判定部２０２、カラーパレット変換部２０３、カラーパレット記憶部２０４、カラーパレット表示部２０５からなり、図３（ｂ）において、カラーパレット変換部２０３は、カラーパレット取得部３０１、色信号抽出部３０２、色信号逆変換部３０３、色変換パラメータ取得部３０４、カラーパレット変更部３０５からなる。
【００２７】
図４は、カラーパレット制御処理のフローチャートを示す。図３、４を用いてカラーパレット制御の流れについて説明する。
【００２８】
まず、Ｓ１で印刷条件取得部２０１は、印刷設定部１０３で設定された印刷条件を取得する。Ｓ２で印刷モード判定部２０２は、印刷条件取得部２０１で取得した印刷条件のうち、トナーセーブモードの実施の有無を判定する。
【００２９】
トナーセーブが実施なしの場合は、Ｓ１０でカラーパレット表示部２０５は標準のカラーパレットを文書作成・編集部１０１に提供する。カラーパレットの情報は、カラーパレット記憶部２０４に保存されており、例えば、図６（ａ）のようなテーブル形式６００になっている。本実施例では、標準カラーパレット情報がトナーセーブカラーパレット情報に書き換えられるテーブル構成を採っている。
【００３０】
ＩＤはカラーパレットに含まれるそれぞれの色を識別するための番号で、これによりカラーパレットで表示される位置や順番などが管理されている。Ｄｉｓｐｌａｙ  Ｖａｌｕｅはディスプレイ上でそれぞれのＩＤの色を表示するための信号値である。Ｉｎｔｅｒｎａｌ  Ｖａｌｕｅは文書データ内に保存される信号で、印刷機に送られる信号値である。ここで表示用と印刷用で信号値を分けているのは、印刷条件でトナーセーブを選択しているので印刷機側でトナーセーブ処理が行われるにも関わらず、トナーセーブカラーパレットの信号値を用いて文書データを送信してしまうと、カラーパレット作成時と印刷時の二重でトナーセーブ処理が行わることになってしまうことを考慮したためである。ただし、このカラーパレットの形式はこれに限定されず、使用する文書作成・編集ソフトに応じて変更することが可能である。
【００３１】
トナーセーブが実施ありの場合は（Ｓ２でＹｅｓ）、カラーパレット変換部２０３は、カラーパレットの色をトナーセーブ実施後の色に変換する処理を行う。Ｓ３でカラーパレット取得部３０１がカラーパレット記憶部２０４からカラーパレット情報を取得する。次に、Ｓ４で色信号抽出部３０２はカラーパレット情報の中から、色信号の情報を抽出する。Ｓ５でトナーセーブ設定部１１２は、印刷モード判定部２０２でトナーセーブが実施ありと判定された場合に、色変換パラメータ設定部１１４の色変換パラメータをトナーセーブ用のパラメータに変更する。Ｓ６で色信号変換部１１１は色変換パラメータ設定部１１４で設定された色変換パラメータを用いて、色信号を出力形式に変更する。
【００３２】
さらに、Ｓ７で色変換パラメータ取得部３０４は、印刷モード判定部２０２でトナーセーブモードが実施ありと判定された場合に、色変換パラメータ設定部１１４から標準用の色変換パラメータを取得する。Ｓ８で色信号逆変換部３０３は、色信号変換部１１１でトナーセーブ実施後の出力信号に変換された色信号を、色変換パラメータ取得部３０４で取得された標準用の色変換パラメータを用いて、入力形式の色信号に逆変換する。Ｓ９でカラーパレット変更部３０５は、カラーパレット記憶部２０４に保存されたカラーパレット情報の色信号値を、逆変換されたトナーセーブ実施後の色信号値で置き換える。Ｓ１０でカラーパレット表示部２０５は、トナーセーブ用の色信号値に変更されたカラーパレットを、文書作成・編集部１０１に提供する。
【００３３】
実際に、ＩＤ１の色をトナーセーブ用の色に変換する処理の例を図７に示す。
【００３４】
カラーパレット取得部３０１で取得した標準のカラーパレット情報６００ａの中からＩＤ１の色信号（Ｒ、Ｇ、Ｂ）＝（２５５、０、０）が色信号抽出部３０２で抽出される。色信号値は、色信号変換部１１１によりトナーセーブ用の色変換パラメータ５００ａを用いてトナーセーブ処理が施された出力形式の信号値（ＣＴＳ、ＭＴＳ、ＹＴＳ）＝（０、２０８、２０８）へと変換される。
【００３５】
色信号逆変換部３０３は、色信号パラメータ取得部３０４が取得した標準用の色変換パラメータ５００ｂを用いて、トナーセーブ処理が施された出力形式の信号（ＣＴＳ、ＭＴＳ、ＹＴＳ）を、入力形式の信号に逆変換し、（Ｒ’、Ｇ’、Ｂ’）＝（２５５、４７、４７）を得る。
【００３６】
カラーパレット変更部３０５では、標準カラーパレット情報の色信号値である、ＩＤ１のＤｉｓｐｌａｙ  Ｖａｌｕｅ（Ｒ、Ｇ、Ｂ）＝（２５５、０、０）を、トナーセーブカラーパレット情報の色信号値である、（Ｒ’、Ｇ’、Ｂ’）＝（２５５、４７、４７）に書き換える。
【００３７】
他のＩＤの色にも同様の処理が実施され、そのカラーパレット情報を用いて文書作成・編集部１０１にトナーセーブカラーパレットが提供される。
【実施例２】
【００３８】
実施例２は、ＰＣが複数の印刷機と接続され、複数の印刷機の内、トナーセーブ機能を持たない印刷機に対応した実施例である。図８（ａ）は、実施例２のカラーパレット制御部の詳細な構成を示し、（ｂ）は実施例２のカラーパレット変換部の詳細な構成を示す。実施例１と相違する点は、実施例１の構成に、印刷機判定部２０６を追加している。図９は、印刷機判定部の詳細な構成を示し、印刷機情報取得部４０１、トナーセーブ有無判定部４０２、警告表示部４０３からなる。
【００３９】
図１０は、実施例２のカラーパレット制御の処理フローチャートを示す。図８〜１０を用いて実施例２の動作を説明する。
【００４０】
Ｓ１〜Ｓ１０は、実施例１と同様であるため省略する。Ｓ２でトナーセーブモードの実施ありの場合には、Ｓ２１で印刷機情報取得部４０１が印刷条件設定部２０１から取得した印刷条件の中から、印刷機の情報を取得する。
【００４１】
Ｓ２２でトナーセーブ有無判定部４０２は、設定された印刷機がトナーセーブモードを持つ印刷機であるか否かの判定を行う。トナーセーブモードを持たない印刷機であった場合は（Ｓ２２でＮｏ）、Ｓ１１で文書作成・編集部１０３により設定した印刷機がトナーセーブモードを持たない印刷機である旨の警告を表示した上で、カラーパレット表示部２０５に、標準（通常）のカラーパレットを表示する。トナーセーブモードを持つ印刷機であった場合は、以降、実施例１と同様の処理が行われる。
【００４２】
本発明は、前述した実施例の機能を実現するソフトウェアのプログラムコードを記録した記憶媒体を、システムあるいは装置に供給し、そのシステムあるいは装置のコンピュータ（ＣＰＵやＭＰＵ）が記憶媒体に格納されたプログラムコードを読出し実行することによっても達成される。この場合、記憶媒体から読出されたプログラムコード自体が前述した実施例の機能を実現することになる。プログラムコードを供給するための記憶媒体としては、例えば、ハードディスク、光ディスク、光磁気ディスク、不揮発性のメモリカード、ＲＯＭなどを用いることができる。また、コンピュータが読出したプログラムコードを実行することにより、前述した実施例の機能が実現されるだけでなく、そのプログラムコードの指示に基づき、コンピュータ上で稼働しているＯＳ（オペレーティングシステム）などが実際の処理の一部または全部を行い、その処理によって前述した実施例の機能が実現される場合も含まれる。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施例の機能が実現される場合も含まれる。また、本発明の実施例の機能等を実現するためのプログラムは、ネットワークを介した通信によってサーバから提供されるものでも良い。
【符号の説明】
【００４３】
１０  ＰＣ
１１  画像形成装置
２０  文書データ
１０１  文書作成・編集部
１０２  プリンタドライバ
１０３  印刷条件設定部
１０４  カラーパレット制御部
１１１  色信号変換部
１１２  トナーセーブ設定部
１１３  画像形成部
１１４  色変換パラメータ設定部
【先行技術文献】
【特許文献】
【００４４】
【特許文献１】特開２００６−０６８９８２号公報
【特許文献２】特開２０１０−１２２３８７号公報
【図１】
0005556462.tif 000002
【図２】
0005556462.tif 000003
【図３】
0005556462.tif 000004
【図４】
0005556462.tif 000005
【図５】
0005556462.tif 000006
【図７】
0005556462.tif 000007
【図８】
0005556462.tif 000008
【図９】
0005556462.tif 000009
【図１０】
0005556462.tif 000010
【図６】
0005556462.tif 000011